(57)【要約】    【課題】      防振ダンパー９を取り付けた状態であってもモーター１１から筐体２への放熱効果を得ることができ、モーター１１駆動による振動および発熱を的確に処理可能で、モーター１１およびベルト２２を組み付ける際の調整を不用とするベルト張力機構を備えて省スペースおよび低コストで製作可能なモーター支持装置を提供すること。    【解決手段】  筐体２とモーター１１との間に防振ダンパー９を設けること、防振ダンパー９とは異なる部位に放熱部材１０を設けること、筐体２のモーター取付けプレート５にベルト張力用のバネ材８を設けることに着目したもので、筐体２に取り付けた防振用支持材３と、防振用支持材３とは異なる部位において筐体２に取り付けた放熱用支持材４と、防振用支持材３とモーター１１との間に設けた防振ダンパー９と、放熱用支持材４とモーター１１との間に設けた放熱部材１０と、を有することを特徴とする。【選択図】        図４                            
2005192351.tif 000002
【特許請求の範囲】
【請求項１】
筐体にモーターを取り付けるためのモーター支持装置であって、
前記筐体に取り付けた防振用支持材と、
この防振用支持材とは異なる部位において前記筐体に取り付けた放熱用支持材と、
前記防振用支持材と前記モーターとの間に設けた防振ダンパーと、
前記放熱用支持材と前記モーターとの間に設けた放熱部材と、
を有することを特徴とするモーター支持装置。
【請求項２】
前記モーターは、モーター取付けプレートを介して前記防振用支持材および前記放熱用支持材にこれを取り付け可能とすることを特徴とする請求項１記載のモーター支持装置。
【請求項３】
前記防振ダンパーは、前記モーターの出力軸部分にこれを設けることを特徴とする請求項１記載のモーター支持装置。
【請求項４】
前記放熱部材は、前記モーターの出力軸部分より外方に位置してこれを設けることを特徴とする請求項１記載のモーター支持装置。
【請求項５】
前記放熱部材は、シリコーン系シート材であることを特徴とする請求項１記載のモーター支持装置。
【請求項６】
筐体にモーターを取り付けるためのモーター支持装置であって、
前記筐体に支持材を介して取り付ける第１のモーター取付けプレートと、
この第１のモーター取付けプレートに位置調整可能に取り付けるとともに前記モーターを取り付け可能な第２のモーター取付けプレートと、
この第２のモーター取付けプレートをその調整位置において前記第１の取付けプレートに固定する固定具と、
前記第１の取付けプレートと前記モーターとの間に介在させるバネ材と、
を有することを特徴とするモーター支持装置。
【請求項７】
前記第１の取付けプレートは、前記バネ材を前記モーターとの間に介在させる天板部を有することを特徴とする請求項６記載のモーター支持装置。
【請求項８】
前記第１の取付けプレートは、前記第２の取付けプレートを位置調整させるための側板部を有することを特徴とする請求項６記載のモーター支持装置。
【請求項９】
前記第１の取付けプレートあるいは前記第２の取付けプレートの少なくともいずれか一方に、前記第１の取付けプレートにおいて前記第２の取付けプレートを位置調整させる調整用長孔を形成してあることを特徴とする請求項６記載のモーター支持装置。
【請求項１０】
前記モーターの出力軸と、前記筐体に回転可能に設けた従動軸との間にベルトを巻回可能とするとともに、
前記バネ材は、このベルトの張力を増加させる方向に前記モーターを前記第１の取付けプレートに対して付勢可能であることを特徴とする請求項６記載のモーター支持装置。
【請求項１１】
プリンターの筐体にモーターを取り付けるためのモーター支持装置であって、
前記モーターの出力軸に駆動力伝達可能に接続する従動軸を前記筐体に回転可能に取り付けるとともに、
前記筐体に取り付けた防振用支持材と、
この防振用支持材とは異なる部位において前記筐体に取り付けた放熱用支持材と、
前記筐体にこの防振用支持材およびこの放熱用支持材を介して取り付ける第１のモーター取付けプレートと、
前記防振用支持材とこの第１のモーター取付けプレートとの間に設けた防振ダンパーと、
前記放熱用支持材とこの第１のモーター取付けプレートとの間に設けた放熱部材と、
この第１のモーター取付けプレートに位置調整可能に取り付けるとともに前記モーターを取り付け可能な第２のモーター取付けプレートと、
この第２のモーター取付けプレートをその調整位置において前記第１の取付けプレートに固定する固定具と、
前記第１の取付けプレートと前記モーターとの間に介在させるバネ材と、
を有することを特徴とするモーター支持装置。
【請求項１２】
前記第１の取付けプレート、前記第２のモーター取付けプレートおよび前記防振用支持材を貫通して前記モーターの前記出力軸を位置させたことを特徴とする請求項１１記載のモーター支持装置。
【発明の詳細な説明】
【技術分野】
【０００１】
本発明はモーター支持装置にかかるもので、とくにラベルやタグなどの印字用紙に印字を行うプリンターにおける各種の駆動部分に用いるモーターの防振や防音および放熱を考慮したモーター支持装置に関するものである。
【背景技術】
【０００２】
従来のラベルやタグなどの印字用紙に印字を行うプリンターにおける各種の駆動部分、たとえばプラテンローラーの回転駆動あるいは印字用紙の移送や巻取り、インキリボンの巻取りその他の駆動部分に各種のモーターが使用されているが、このモーター駆動により発生する振動が騒音の原因となったり印字性能に悪影響を及ぼす場合がある。
このような振動を筐体に直接伝達しないようにするために、ゴム材などによる減衰性を利用した防振ダンパーが用いられている。
しかしながら、ゴム性の防振ダンパーは熱伝導性が低く、モーター駆動により発生した熱がこの防振ダンパーにより筐体側への伝達が遮断され、筐体への放熱効果が得られないために、モーターの放熱面積はモーター自体の面積に限定されることになり、モーターの発熱がそのままモーターに蓄積され、異状発熱を招くという問題がある。
【０００３】
また、モーターの出力軸と、被駆動部としての従動軸との間にタイミングベルトなどのベルトを組み付ける際に、タイミングベルトの張力を調整しながら組み付ける必要があるために、ベルトの張力管理がわずらわしく、組付け作業を簡単に行うことができないという問題がある。
すなわち従来は、出力軸と従動軸との間に介在させたタイミングベルトのたわみ量を測定すると言うベルト張力調整の難しい操作を必要としていたが、バネの反力を利用してアイドルプーリーなどによりタイミングベルトを一定力で押さえ付けることにより、ベルト組付け時の調整作業を省略可能としていた。しかしながら、この方法の場合、ベルトを押さえるためのアイドルプーリーなどのスペースを確保する必要があること、および部品点数が増えることなどの諸問題がある。
【０００４】
【特許文献１】特開２００２−２５８５６３号公報
【発明の開示】
【発明が解決しようとする課題】
【０００５】
本発明は以上のような諸問題にかんがみなされたもので、防振ダンパーを取り付けた状態であってもモーターから筐体への放熱効果を得ることができるようにしたモーター支持装置を提供することを課題とする。
【０００６】
また本発明は、モーター駆動による振動や騒音および発熱を的確に処理可能なモーター支持装置を提供することを課題とする。
【０００７】
また本発明は、モーターおよびベルトを組み付ける際の調整を不用とするベルト張力機構を備えて省スペースおよび低コストで製作可能なモーター支持装置を提供することを課題とする。
【課題を解決するための手段】
【０００８】
すなわち本発明は、筐体とモーターとの間に防振ダンパーを設けること、この防振ダンパーとは異なる部位に放熱部材を設けること、および筐体のモーター取付けプレートにベルト張力用のバネ材を設けることに着目したもので、第一の発明は、筐体にモーターを取り付けるためのモーター支持装置であって、上記筐体に取り付けた防振用支持材と、この防振用支持材とは異なる部位において上記筐体に取り付けた放熱用支持材と、上記防振用支持材と上記モーターとの間に設けた防振ダンパーと、上記放熱用支持材と上記モーターとの間に設けた放熱部材と、を有することを特徴とするモーター支持装置である。
【０００９】
上記モーターは、モーター取付けプレートを介して上記防振用支持材および上記放熱用支持材にこれを取り付け可能とすることができる。
【００１０】
上記防振ダンパーは、上記モーターの出力軸部分にこれを設けることができる。
【００１１】
上記放熱部材は、上記モーターの出力軸部分より外方に位置してこれを設けることができる。
【００１２】
上記放熱部材は、シリコーン系シート材であることができる。
【００１３】
第二の発明は、筐体にモーターを取り付けるためのモーター支持装置であって、上記筐体に支持材を介して取り付ける第１のモーター取付けプレートと、この第１のモーター取付けプレートに位置調整可能に取り付けるとともに上記モーターを取り付け可能な第２のモーター取付けプレートと、この第２のモーター取付けプレートをその調整位置において上記第１の取付けプレートに固定する固定ボルトなどの固定具と、上記第１の取付けプレートと上記モーターとの間に介在させる圧縮バネなどのバネ材と、を有することを特徴とするモーター支持装置である。
【００１４】
上記第１の取付けプレートは、上記バネ材を上記モーターとの間に介在させる天板部を有することができる。
【００１５】
上記第１の取付けプレートは、上記第２の取付けプレートを位置調整させるための側板部を有することができる。
【００１６】
上記第１の取付けプレートあるいは上記第２の取付けプレートの少なくともいずれか一方に、上記第１の取付けプレートにおいて上記第２の取付けプレートを位置調整させる調整用長孔を形成してあることができる。
【００１７】
上記モーターの出力軸と、上記筐体に回転可能に設けた従動軸との間にベルトを巻回可能とするとともに、上記バネ材は、このベルトの張力を増加させる方向に上記モーターを上記第１の取付けプレートに対して付勢可能であることができる。
【００１８】
第三の発明は、プリンターの筐体にモーターを取り付けるためのモーター支持装置であって、上記モーターの出力軸に駆動力伝達可能に接続する従動軸を上記筐体に回転可能に取り付けるとともに、上記筐体に取り付けた防振用支持材と、この防振用支持材とは異なる部位において上記筐体に取り付けた放熱用支持材と、上記筐体にこの防振用支持材およびこの放熱用支持材を介して取り付ける第１のモーター取付けプレートと、上記防振用支持材とこの第１のモーター取付けプレートとの間に設けた防振ダンパーと、上記放熱用支持材とこの第１のモーター取付けプレートとの間に設けた放熱部材と、この第１のモーター取付けプレートに位置調整可能に取り付けるとともに上記モーターを取り付け可能な第２のモーター取付けプレートと、この第２のモーター取付けプレートをその調整位置において上記第１の取付けプレートに固定する固定具と、上記第１の取付けプレートと上記モーターとの間に介在させるバネ材と、を有することを特徴とするモーター支持装置である。
【００１９】
上記第１の取付けプレート、上記第２のモーター取付けプレートおよび上記防振用支持材を貫通して上記モーターの上記出力軸を位置させることができる。
【発明の効果】
【００２０】
本発明によるモーター支持装置においては、筐体とモーターとの間に防振ダンパーを設け、この防振ダンパーとは異なる部位に放熱部材を設けるとともに、筐体のモーター取付けプレートにベルト張力用のバネ材を設けるようにしたので、モーター駆動による振動を低く抑えて筐体への振動伝達を低減し、かつ、モーターの熱を筐体へ効率的に放熱することができるとともに、モーターにタイミングベルトなどのベルトを組み付ける際に必要なベルト張力機構を有して、省スペースおよび部品点数の削減を可能とし、筐体の小型化および低価格化を図ることができる。
【発明を実施するための最良の形態】
【００２１】
本発明は、防振ダンパー、放熱部材およびベルト張力機構を互いに干渉せずに設けたので、プリンターなどにモーターを組み込んだ際にも防振および放熱さらにはベルト張力調整を合理的に実行可能とするモーター支持装置を実現した。
【実施例】
【００２２】
つぎに本発明の実施例によるモーター支持装置１を図１ないし図４にもとづき説明する。
図１は、モーター支持装置１の斜視図、図２は、同、正面図、図３は、同、側面上方からの斜視図、図４は、同、底面図である。
とくに図１に示すように、モーター支持装置１は、筐体２と、中央一対の防振用支持材３（支持材）と、左右一対の放熱用支持材４（支持材）と、第１のモーター取付けプレート５と、第２のモーター取付けプレート６と、固定ボルト７（固定具）と、圧縮バネ８（バネ材）と、防振ダンパー９（図３、図４）と、放熱部材１０（図３、図４）と、当該モーター１１と、を有する。
【００２３】
筐体２は、プリンター（図示せず）その他の機器の取付けブラケットないしはハウジングであって、放熱効果がある金属製である。
【００２４】
防振用支持材３は、筐体２と第１のモーター取付けプレート５ないしモーター１１との間に所定の間隔をあけて筐体２に直角に固定するもので、モーター１１の出力軸１２（図４）側すなわち中央側にこれを一対設ける。
【００２５】
放熱用支持材４は、この防振用支持材３とは異なる部位において筐体２に直角に取り付けてあるもので、モーター１１の出力軸１２より外方左右側にこれを一対設ける。
【００２６】
第１のモーター取付けプレート５は、筐体２との間に、防振用支持材３および放熱用支持材４、さらに防振ダンパー９および放熱部材１０を介して筐体２にこれを取り付けるとともに、筐体２とは反対側に第２のモーター取付けプレート６を介してモーター１１を取り付けるものである。
第１のモーター取付けプレート５は、筐体２に平行に位置する側板部５Ａ、および側板部５Ａに直角であるとともにモーター１１の出力軸１２に平行であってモーター１１の図１中上部を覆う天板部５Ｂを有している。
とくに図３および図４に示すように、第１のモーター取付けプレート５と防振用支持材３との間には防振ダンパー９を介在させ、第１のモーター取付けプレート５と放熱用支持材４との間には放熱部材１０を介在させることにより、防振用支持材３とモーター１１との間に防振ダンパー９を、放熱用支持材４とモーター１１との間に放熱部材１０を設けるようにしている。
すなわち、一対の防振用支持材３にわたって第１のモーター取付けプレート５（側板部５Ａ）との間に防振ダンパー９を設け、防振用支持材３には支持材用ボルト１３により防振ダンパー９を固定し、第１のモーター取付けプレート５にはプレート用ボルト１４により防振ダンパー９および第１のモーター取付けプレート５を固定する。
なお、第１のモーター取付けプレート５と防振用支持材３との間の上記固定構造により、第１のモーター取付けプレート５を放熱用支持材４および放熱部材１０に所定押圧力で押し付け固定している。
【００２７】
防振ダンパー９は、防振機能を有するゴム材からこれを構成し、放熱部材１０は、熱伝導性に優れたシリコーン系シート材からこれを構成する。
【００２８】
第２のモーター取付けプレート６は、第１のモーター取付けプレート５の側板部５Ａにこれを取り付けるものである。
すなわち第２のモーター取付けプレート６は、第１のモーター取付けプレート５からわずかに間隔をあけて位置しているその中央本体部６Ａにモーター１１をモーター用ボルト１５により取り付け固定するとともに、中央本体部６Ａの左右に位置する両側フランジ部６Ｂにはモーター１１の図２中上下方向への移動調整を可能とする調整用長孔１６を形成してある。
前記固定ボルト７をゆるめて、この調整用長孔１６内で移動調整することにより、第１のモーター取付けプレート５に対して第２のモーター取付けプレート６の位置調整を行い、固定ボルト７を締め付けることにより位置調整後の固定を可能としている。
【００２９】
モーター１１の出力軸１２は、第１のモーター取付けプレート５、第２のモーター取付けプレート６および防振ダンパー９を回転可能に貫通して防振用支持材３の中央側位置に突出しており、この出力軸１２には、モータープーリー１７およびモーターギア１８（図４）を固定して、いずれか一方を利用可能としている。
図示の例では、モーターギア１８と、筐体２に回転可能に設けた従動軸１９に設けたベルトプーリー２０のベルトギア２１との間にタイミングベルト２２（ベルト）を巻回し、モーター１１の出力軸１２と従動軸１９とを接続し、モーター１１の回転駆動力を従動軸１９に伝達し、たとえばプラテンローラー２３を回転駆動可能としている。
【００３０】
圧縮バネ８は、とくに図１および図２に示すように、モーター１１の頂面と第１のモーター取付けプレート５の天板部５Ｂとの間にこれを介在させ、第１の取付けプレート５に対してモーター１１全体をその出力軸１２（モータープーリー１７、モーターギア１８）とともに、タイミングベルト２２の張力を増加させる方向に付勢可能であって、圧縮バネ８のバネ力およびモーター１１の自重の合力がタイミングベルト２２の適正張力と釣り合うようにしている。
【００３１】
こうした構成のモーター支持装置１において、モーター１１は、第２のモーター取付けプレート６を介して第１のモーター取付けプレート５に取り付けられ、防振用支持材３との間には防振ダンパー９が位置しているので、モーター１１の駆動によって筐体２側に伝達する振動を減衰させることができる。しかも、モーター１１の中央部分の出力軸１２が貫通した状態での防振ダンパー９により有効な減衰特性を期待することができる。
また、モーター１１、第１のモーター取付けプレート５および第２のモーター取付けプレート６と放熱用支持材４との間には放熱部材１０が位置しているので、防振ダンパー９とは独立した状態で、モーター１１の駆動による発熱を放熱用支持材４を介して筐体２側に伝達可能であり、放熱効果を得ることができる。
【００３２】
さらに、モーター１１およびタイミングベルト２２の組付けにあたり、第２のモーター取付けプレート６（両側フランジ部６Ｂ）における固定ボルト７をゆるめると、モーター１１が第１のモーター取付けプレート５に対して図２中上下方向に自由動可能となり、この状態のとき圧縮バネ８の反力によってタイミングベルト２２に適正な張力が与えられる。
したがって、従来のようにタイミングベルト２２のたわみ量を測定すると言うベルト張力調整の難しい操作を行うことなく、タイミングベルト２２の適正張力設定を短時間に行うことができる。しかも、従来ベルト張力管理を行うためにタイミングベルト２２部分に設けるアイドルプーリーなどが不要となって、部品点数の削減および低コスト化が可能であるとともに、モーター１１とベルトプーリー２０との間の距離を縮めることができるため、省スペース化を実現可能である。
【００３３】
さらに、第１のモーター取付けプレート５の一方の側（筐体２側）に防振ダンパー９、放熱部材１０およびその関連部材を設けるとともに、他方の側（筐体２とは反対側）にタイミングベルト２２の張力設定用の圧縮バネ８およびその関連部材を設けたので、モーター１１を支持するにあたって必要な防振、放熱および張力設定などの機構を効率よく、かつコンパクトに筐体２に取り付けることができる。
【００３４】
なお本発明においては、第１のモーター取付けプレート５において第２のモーター取付けプレート６を位置調整可能とするためには、第１のモーター取付けプレート５あるいは第２のモーター取付けプレート６の少なくともいずれか一方に調整用長孔１６を形成することにより、互いに相対的に位置調整が可能であればよいものである。
【図面の簡単な説明】
【００３５】
【図１】本発明の実施例によるモーター支持装置１の斜視図である。
【図２】同、正面図である。
【図３】同、側面上方からの斜視図である。
【図４】同、底面図である。
【符号の説明】
【００３６】
１  モーター支持装置（実施例、図１〜図４）
２  筐体
３  防振用支持材（支持材）
４  放熱用支持材（支持材）
５  第１のモーター取付けプレート
５Ａ  第１のモーター取付けプレート５の側板部
５Ｂ  第１のモーター取付けプレート５の天板部
６  第２のモーター取付けプレート
６Ａ  第２のモーター取付けプレート６の中央本体部
６Ｂ  第２のモーター取付けプレート６の両側フランジ部
７  固定ボルト（固定具）
８  圧縮バネ（バネ材）
９  防振ダンパー
１０  放熱部材
１１  モーター
１２  モーター１１の出力軸（図４）
１３  支持材用ボルト（図３、図４）
１４  プレート用ボルト（図４）
１５  モーター用ボルト（図４）
１６  両側フランジ部６Ｂに形成した調整用長孔（図２）
１７  モータープーリー
１８  モーターギア
１９  従動軸
２０  ベルトプーリー
２１  ベルトギア
２２  タイミングベルト
２３  プラテンローラー
【図１】
2005192351.tif 000003
【図２】
2005192351.tif 000004
【図３】
2005192351.tif 000005
【図４】
2005192351.tif 000006